(57)【要約】      （修正有）【課題】簡単な構成により、用紙のサイズや紙種に係わらず用紙の搬送方向における整合を安定的に行うことができる用紙後処理装置を提供すること。【解決手段】用紙を搬送する搬送手段と、前記搬送手段により搬送された用紙Ｐを、下流側に向かうに従って上方に傾斜している用紙積載面を有する中間スタッカ２７に、１枚または２枚重ねの状態で排出する用紙排紙手段２７０と、前記用紙排紙手段２７０により排出された用紙Ｐを引き戻す方向に付勢し、用紙の後端を前記中間スタッカ２７に設けたストッパ部に当接させて用紙の搬送方向を整合する複数のパドル手段２７３と、前記用紙排紙手段２７０により排出された用紙Ｐの搬送方向と直交する幅方向を整合する整合手段と、前記パドル手段２７３の回転速度を選択的に制御する制御手段と、を有することを特徴とする用紙後処理装置２。【選択図】図１
2010195523.tif 000002
【特許請求の範囲】
【請求項１】
用紙を搬送する搬送手段と、
前記搬送手段により搬送された用紙を、下流側に向かうに従って上方に傾斜している用紙積載面を有する中間スタッカに、１枚または２枚重ねの状態で排出する用紙排紙手段と、
前記用紙排紙手段により排出された用紙を引き戻す方向に付勢し、用紙の後端を前記中間スタッカに設けたストッパ部に当接させて用紙の搬送方向を整合する複数のパドル手段と、
前記用紙排紙手段により排出された用紙の搬送方向と直交する幅方向を整合する整合手段と、
前記パドル手段の回転速度を選択的に制御する制御手段と、
を有することを特徴とする用紙後処理装置。
【請求項２】
前記用紙排紙手段は、それぞれ異なる駆動手段を有する第１ローラとトルクリミッタ手段を備えた第２ローラとを有し、かつ、前記中間スタッカ上に排紙されたときの用紙の上面側に対応する前記第１ローラの線速度が、用紙の下面側に対応する前記第２ローラの線速度よりも大きく設定されていることを特徴とする請求項１に記載の用紙後処理装置。
【請求項３】
前記用紙排紙手段により排出される用紙が２枚重ねのとき、前記パドル手段の回転速度は用紙サイズと紙種に応じて制御されることを特徴とする請求項１または２に記載の用紙後処理装置。
【請求項４】
前記パドル手段は用紙に作用する所定位置から退避可能である少なくとも１つのパドル手段を含むことを特徴とする請求項１〜３の何れか１項に記載の用紙後処理装置。
【請求項５】
前記用紙排紙手段により排紙される用紙が２枚重ねであるとき、用紙サイズまたは紙種に応じて、用紙に当接される前記パドル手段の数は変えられることを特徴とする請求項１〜４の何れか１項に記載の用紙後処理装置。
【請求項６】
用紙に画像を形成する画像形成装置本体と、
前記画像形成装置本体により画像形成された用紙の後処理を行う請求項１〜５の何れか１項に記載の用紙後処理装置と、
を有することを特徴とする画像形成装置。
【発明の詳細な説明】
【技術分野】
【０００１】
本願発明は、複写機あるいはプリンタ等の画像形成装置本体により画像形成された複数枚の用紙を整合処理したり、綴じ処理する用紙後処理装置及び当該用紙後処理装置を備えた画像形成装置に係わる。
【背景技術】
【０００２】
画像形成済みの複数枚の用紙を整合手段により整合させた後に、綴じ手段により綴じ処理する構成の用紙後処理装置はよく知られている。斯様な用紙後処理装置は、例えば、電子写真法を用いて画像形成する複写機やプリンタ等の画像形成装置本体と連結されて使用される。
【０００３】
このような用紙後処理装置において、画像形成装置本体から排出される画像形成済みの用紙は適宜の搬送手段により搬送され、傾斜した積載面を有する中間スタッカに排出される。排出された用紙は中間スタッカの傾斜面を滑り落ち、用紙の後端が中間スタッカに設けられたストッパに当接することによって用紙搬送方向の整合がなされる。また、中間スタッカ上において、用紙搬送方向と直交する用紙幅方向の整合もなされる。
【０００４】
しかしながら、上記の用紙後処理装置において、搬送手段により中間スタッカ上に排出される用紙は都度１枚であり、画像形成プロセスが高速で行われる画像形成装置本体に適合することができないという問題があった。
【０００５】
そこで、本願出願人は、画像形成装置本体から排出された用紙を用紙後処理装置の搬送路内において２枚に重ね合わせた後に中間スタッカに排出する方法を検討した。そして、用紙重ね合わせに費やされる時間帯に、先行する用紙束の綴じ処理操作を実行させる構成とし、高速処理が可能な用紙後処理装置を先に提案した（特許文献１参照）。
【先行技術文献】
【特許文献】
【０００６】
【特許文献１】特開２０００−３２７２０５号公報
【発明の概要】
【発明が解決しようとする課題】
【０００７】
特許文献１に開示された整合処理技術は有用であるものの、用紙の幅方向における整合に関するものであり、用紙幅方向と直交する用紙搬送方向における用紙の整合については未だ改良の余地がある。
【０００８】
例えば、２枚重ねの用紙を中間スタッカ上に排出したとき、当該用紙の後端がストッパに均一に当接することが叶わず、用紙搬送方向における整合が不安定となってしまう危惧がある。
【０００９】
本願発明は上記観点に鑑みて成されたもので、その主目的は、簡単な構成により、用紙のサイズや紙種に係わらず用紙の搬送方向における整合を安定的に行うことができる用紙後処理装置を提供することにある。
【課題を解決するための手段】
【００１０】
本願発明に係わる目的は、下記の構成要件によって達成することができる。
【００１１】
１．用紙を搬送する搬送手段と、
前記搬送手段により搬送された用紙を、下流側に向かうに従って上方に傾斜している用紙積載面を有する中間スタッカに、１枚または２枚重ねの状態で排出する用紙排紙手段と、
前記用紙排紙手段により排出された用紙を引き戻す方向に付勢し、用紙の後端を前記中間スタッカに設けたストッパ部に当接させて用紙の搬送方向を整合する複数のパドル手段と、
前記用紙排紙手段により排出された用紙の搬送方向と直交する幅方向を整合する整合手段と、
前記パドル手段の回転速度を選択的に制御する制御手段と、
を有することを特徴とする用紙後処理装置。
【００１２】
２．前記用紙排紙手段は、それぞれ異なる駆動手段を有する第１ローラとトルクリミッタ手段を備えた第２ローラとを有し、かつ、前記中間スタッカ上に排紙されたときの用紙の上面側に対応する前記第１ローラの線速度が、用紙の下面側に対応する前記第２ローラの線速度よりも大きく設定されていることを特徴とする前記１に記載の用紙後処理装置。
【００１３】
３．前記用紙排紙手段により排出される用紙が２枚重ねのとき、前記パドル手段の回転速度は用紙サイズと紙種に応じて制御されることを特徴とする前記１または２に記載の用紙後処理装置。
【００１４】
４．前記パドル手段は用紙に作用する所定位置から退避可能である少なくとも１つのパドル手段を含むことを特徴とする前記１〜３の何れか１項に記載の用紙後処理装置。
【００１５】
５．前記用紙排紙手段により排紙される用紙が２枚重ねであるとき、用紙サイズまたは紙種に応じて、用紙に当接される前記パドル手段の数は変えられることを特徴とする前記１〜４の何れか１項に記載の用紙後処理装置。
【００１６】
６．用紙に画像を形成する画像形成装置本体と、
前記画像形成装置本体により画像形成された用紙の後処理を行う前記１〜５の何れか１項に記載の用紙後処理装置と、
を有することを特徴とする画像形成装置。
【発明の効果】
【００１７】
パドル手段の回転速度を選択的に制御可能とした簡単な構成により、用紙のサイズや紙種に影響されることなく、特に、用紙の搬送方向における整合を安定的に行うことができる。
【図面の簡単な説明】
【００１８】
【図１】用紙後処理装置の構成を説明するための概念図である。
【図２】中間スタッカ周りの各部材（手段）の位置関係を模式的に示す図である。
【図３】用紙排紙手段による排出用紙数に対するパドル手段の回転数制御の一形態を示す図である。
【図４】パドル手段を作用位置から退避位置に移動して保持する構成を示す模式図である。
【発明を実施するための形態】
【００１９】
本願発明に係わる実施の態様を以下に説明する。
【００２０】
図１は、画像形成装置本体に連結されて使用される用紙後処理装置の構成を説明するための概念図である。なお、本願における画像形成装置とは、前述の画像形成装置本体と用紙後処理装置とを有する構造体を指すものである。
【００２１】
図において、画像形成装置本体１は、像担持体、当該像担持体の周囲に設けた帯電手段、露光手段、現像手段、転写手段等からなる画像形成手段および定着手段を有するが、これらの電子写真法による画像形成のための基本的な構成は公知であるので図示は省く。
【００２２】
用紙後処理装置２は、画像形成装置本体１により画像形成され、定着処理されて搬送ローラ１００により排紙される用紙Ｐを受け入れる受入部２０を有する。
【００２３】
用紙後処理装置２における搬送手段は、画像形成装置１の動作に対応して駆動され、その駆動制御は、例えば、画像形成装置本体１側に設けられた制御手段Ｓによりなされる。
【００２４】
制御手段Ｓは機械作動のプログラムを内蔵し、一連の画像形成プロセスに係わる制御等、全ての制御を行う。
【００２５】
換言すれば、制御手段Ｓは、演算制御処理を行うＣＰＵと、各種動作プログラムを記憶しているＲＯＭ、演算結果データを記憶するＲＡＭ等を有する。
【００２６】
そして、インターフェースを介して各種センサの出力を前記ＣＰＵに取り込むとともに、その情報を基にモータ或いは表示手段等を駆動制御する構成を有する。
【００２７】
用紙後処理装置２は、受け入れた用紙Ｐをそのまま上方に搬送せしめ、排紙ローラ２１を介してトレイ２１０に排出する第１搬送路ａと、第１搬送路ａの途中から分岐され排紙ローラ２２を介してトレイ２２０に排出する第２搬送路ｂとを有する。
【００２８】
また、ｃは第３搬送路で、第２搬送路ｂから分岐されて下方に延びている。
【００２９】
第３搬送路ｃの搬送路途上には搬送路切り換え部材Ｄ２が備えられ、当該搬送路切り換え部材Ｄ２が第１の位置にあるときには、用紙Ｐは搬送路切り換え部材Ｄ２の腹側（下側）を搬送される。また、搬送路切り換え部材が第２の位置にあるときには、用紙Ｐは搬送路切り換え部材Ｄ２の背側を搬送される。
【００３０】
この構成は、画像形成装置本体１から排出された用紙Ｐを、第３搬送路ｃ内において２枚に重ね合わせた状態でストックすることを可能とする。その際、用紙の先端は後述する用紙排紙手段２７０で規制される。
【００３１】
第３搬送路ｃは綴じ処理部２５の近傍で終端となっており、そこには用紙Ｐを積載収納するための中間スタッカ２７が準備されている。
【００３２】
中間スタッカ２７は、排出される用紙Ｐの排出方向にみて、下流側に向かうに従って上方に傾斜している用紙積載面を有する。また、中間スタッカ２７は用紙Ｐの後端を規制（整合）するストッパ２７５を有する。
【００３３】
中間スタッカ２７の上流側上方であって第３搬送路ｃの終端部には、１枚または２枚重ねの状態にある用紙Ｐを中間スタッカ２７に排出する用紙排紙手段２７０が設けられている。
【００３４】
用紙排紙手段２７０は、僅かな間隙で非接触状態に保たれている第１ローラ（上側ローラ）２７１と第２ローラ（下側ローラ）２７２とを含み、当該第２ローラ２７２にはトルクリミッタが備えられている。
【００３５】
更に、第２ローラ２７２を動力源とする複数個のパドル手段２７３が適宜の間隔で可回転の支持軸上に設けられている。具体的には、４個のパドル手段が準備され（図２参照）、また、第２ローラ２７２とパドル手段２７３とはベルト２７４を介して機械的に繋がっている。
【００３６】
なお、パドル手段とは、用紙排紙手段２７０によって第３搬送路ｃ内から排出され、次いで、中間スタッカ２７の傾斜面に沿って滑り落ちる状態の用紙Ｐに対して、引き戻し方向に作用する付勢力を強制的に付与することができる機能を有する手段をいう。
【００３７】
本実施の形態におけるパドルはウレタンゴム（長さ２０〜２５ｍｍ、幅３〜５ｍｍ、厚さ０，７ｍｍ）からなり、ローラ状の取付部材上であって１８０度位相をズラした２カ所に当該ウレタンゴムの一端を固着せしめてパドル手段を構成している。
【００３８】
パドル手段２７３の回転数は、制御手段Ｓにより変更可能に構成されている。これは、所定回転数でパドル手段２７３を駆動させたとき、パドル手段２７３の引き戻し作用が大サイズの用紙よりも小サイズの用紙に対して強く作用する傾向を抑制するためである。
【００３９】
換言すれば、大サイズの用紙が対象である場合はパドル手段の回転数を上げ、一方、小サイズの用紙が対象である場合には回転数を下げる制御を行う。このことにより、ストッパに対する用紙の後端の当接を安定して行わせることが可能となる。
【００４０】
実施の態様においては、基準サイズをＡ４サイズ用紙（２１０ｍｍ×２９７ｍｍ）とし、これ以上のサイズの用紙を大サイズ、未満のサイズの用紙を小サイズと区分してパドル手段の回転数を制御した。
【００４１】
上述した傾向および制御結果は、用紙排紙手段により排出される用紙が１枚であっても、２枚重ねの場合であってもほぼ同様であったが、基準サイズあるいは制御区分の数等は仕様に従って変更することができる。
【００４２】
説明を戻して、前述の第１ローラ２７１と第２ローラ２７２は、それぞれ異なるモータからなる駆動源（図示せず）により駆動されるようになっている。
【００４３】
そして、２枚重ねで排出される用紙を対象として述べるに、中間スタッカ２７上に排紙されたとき上側になる用紙と接触する第１ローラ２７１の線速度と、下側になる用紙と接触する第２ローラ２７２の線速度は異ならしめてある。
【００４４】
実施の態様においては、第１ローラの線速度を略１０４０ｍｍ／秒とし、第２ローラ２７２の線速度を略１０００ｍｍ／秒に設定した。但し、本願発明は上記の数値に拘束されるものではない。
【００４５】
如上の如くに速度差を持たせたのは、中間スタッカ２７に向けての排出時において、第１ローラ２７１に接触している用紙の先端の方を第２ローラ２７２に接触している用紙の先端よりも僅かに突出（先行と同義）させる関係を作り出すことを意図したものである。
【００４６】
先に述べたように、用紙排紙手段２７０により排出される用紙の整合に係わるパドル手段の回転制御ついては、基本的に、用紙が大サイズか小サイズかによって前述のように制御すれば事足りる。
【００４７】
上記の構成は、２枚の用紙が常に一定の関係を有する状態で排出させるので、その後のパドル手段を介しての整合を容易、かつ、安定して行うことができる。
【００４８】
換言すれば、上記の構成は、パドル手段２７３の作用を直接受ける上側の用紙の方が下側の用紙よりも僅かに速い速度で移動され、その結果、先行状態となることを織り込んだ上で用紙の整合処理を行うようにしたものである。
【００４９】
即ち、用紙先端部に生ぜしめたズレの差分をパドル手段２７３の作用でほぼ解消し、２枚の用紙の後端をほぼ同時にストッパ２７５に当接させるようにすることで、用紙の搬送方向における良好な整合を達成することを可能とする。
【００５０】
しかしながら、用紙を２枚重ねた状態で排出する態様において、用紙のサイズと種類（紙種）との組み合わせによる特定の用紙の場合、他の用紙の場合に比して、パドル手段２７３の作用を受けたときに更に異なった挙動を示す。
【００５１】
具体的には、用紙が中間スタッカ２７上を滑り落ちるとき、パドル手段２７３の作用を直接受ける上側の用紙が一層速い速度で移動してしまうことである。
【００５２】
例えば、普通紙、あるいは、薄紙であって、Ｂ５サイズ（１８２ｍｍ×２５７ｍｍ：基準サイズをＡ４サイズとしているので基準サイズ未満ということになる）以下の用紙の場合に上述の現象がより強く見られる。斯様な現象は、基準サイズ未満であっても、コート紙や厚紙ではみられなかった。
【００５３】
上記の厚紙とは坪量が略１００〜２００ｇ／ｍ２、普通紙とは坪量が略８０〜９０ｇ／ｍ２、そして薄紙とは坪量が略５０〜７５ｇ／ｍ２である用紙を指す。
【００５４】
これがため、本実施の形態においては、上述の特定の用紙の２枚重ね排出時に、パドル手段２７３の回転数を更に下げて対応するように構成してある。
【００５５】
例えば、基準サイズ未満である小サイズの用紙に対するパドル手段の所定回転数あるいは作用回数を１００とした場合、特定の用紙に対しては２０〜４０と減少させる。
【００５６】
パドル手段の単位時間当たりの回転数あるいは用紙に対する作用回数は実験により適宜決定できる。
【００５７】
中間スタッカ２７のストッパ２７５側にある綴じ処理部２５には、幅方向に移動可能なステイプラ（綴じ手段）２５０が２個設けられている。
【００５８】
ステイプラの構成等は公知であり、また、その構成が本願発明に直接関係しないということから、図１においてはその外形のみを示す。
【００５９】
また、中間スタッカ２７の両側には、用紙Ｐの幅方向の整合を行うための整合部材２７７が設けられている。当該整合部材２７７は用紙が排出される都度、幅方向（図２参照）に数回駆動され、斯様な動作によって、用紙の側面を整合させる。
【００６０】
中間スタッカ２７の下方は搬送排出部２８であり、ステイプラ２５０によって綴じ処理された用紙束Ｐ１を当該中間スタッカ２７上から搬送し、排紙ローラ２２を介してトレイ２２０上に排出させるための排出ベルト２８０が備えられている。
【００６１】
排出ベルト２８０は駆動ローラ２８１と従動ローラ２８３とに懸架されており、その一部には用紙束Ｐ１の後端を係止するための係止部材２８３が備えられている。
【００６２】
また、これら排出ベルト２８０および係止部材２８３の配設位置に対応した中間スタッカ２７の用紙積載面には適宜の大きさの切り欠き２８４（図２参照）が設けられている。
【００６３】
図２は、中間スタッカ周りの各部材（手段）の位置関係を模式的に示す説明用の平面図である。
【００６４】
次に、上述の如くの構成を有する画像形成装置、特に、後処理装置内の動作の一例を簡略に説明する。
【００６５】
画像形成装置本体１上の操作表示板１０１により、用紙後処理装置での綴じ処理を含む画像形成指令が出されると、画像形成装置本体１において画像形成プロセスが実行され、定着処理済みの用紙Ｐが搬送ローラ１００を介して用紙後処理装置２に送り込まれる。
【００６６】
やがて、用紙Ｐは第３搬送路ｃ内を搬送され、例えば、搬送路切り換え部材Ｄ２の下側を通って用紙排紙手段２７０に達し、当該用紙排紙手段２７０によって中間スタッカ２７に排出される。
【００６７】
排出された用紙Ｐは中間スタッカ２７の用紙積載面上を滑り落ち、パドル手段２７３によって更に上流側に引き戻され、その後端がストッパ２７５に当接されて停止する。
【００６８】
同時的に、整合部材２７７により用紙Ｐの幅方向が規制される。
【００６９】
２枚目の用紙Ｐは同様の工程を得て用紙排紙手段２７０により排出され、１枚目の用紙Ｐ上を滑り落ちながらパドル手段２７３の作用を受けてストッパ２７５に後端を当接されて停止し、整合部材２７７により搬送方向に対して直交する方向の整合がなされる。
【００７０】
斯様な動作は原稿枚数あるいは画像データによる所定のページ数が終了するまで繰り返される。
【００７１】
中間スタッカ２７上に積載され、整合処理により整列された状態で停止保持されている用紙Ｐはステイプラ２５０により綴じ処理されて用紙束Ｐ１とされ、排出ベルト２８０を介して上方に搬送される。
【００７２】
次いで、用紙束Ｐ１の先端は排紙ローラ２２に挟持搬送され、トレイ２２０に排出される。
【００７３】
一方、用紙排紙手段２７０により、２枚の用紙が重ね合わされた状態で中間スタッカに排出されるモードが選択されている場合について必要と思われる点について説明する。
【００７４】
用紙後処理装置２に取り込まれた定着処理済みの１枚目の用紙Ｐは第３搬送路ｃ内を搬送され、搬送路切り換え部材Ｄ２の下側を通って非駆動状態にある用紙排紙手段２７０に先端が当接して停止する。
【００７５】
所定時間後に用紙後処理装置２に取り込まれた用紙Ｐは、第３搬送路ｃ内を搬送され、位置切り換えがなされた搬送路切り換え部材Ｄ２の上側を通って搬送され、先端が用紙排紙手段２７０に当接して停止する。
【００７６】
しかる後、用紙排紙手段２７０を構成する第１ローラ２７１および第２ローラ２７２が回転駆動されると、２枚の用紙Ｐは両ローラに挟持され、２枚重ねの状態で中間スタッカ２７上に排出される。
【００７７】
このとき、２枚目の用紙の先端は１枚目の用紙の先端よりも僅かに先行した状態にあるが、そのズレ分は、２枚目の用紙が直接にパドル手段２７３の作用を受けることで生じる移動速度差により是正され、用紙端がストッパ２７５に当接することで整合が終了する。
【００７８】
また、用紙Ｐの幅方向の整合も整合部材２７７によりなされる。
【００７９】
斯様な動作が原稿枚数あるいは画像データによる所定のページ数が終了するまで繰り返される。
【００８０】
中間スタッカ２７上に積載され、整合処理により整列された状態で停止保持されている用紙Ｐはステイプラ２５０により綴じ処理されて用紙束Ｐ１とされ、排出ベルト２８０を介して上方に搬送される。次いで、用紙束Ｐ１の先端は排紙ローラ２２に挟持搬送され、トレイ２２０に排出される。
【００８１】
なお、このような用紙束Ｐ１を複数作るとき、先行する用紙に対して綴じ処理が行われている間に次の用紙束のための用紙が取り込まれても、当該用紙および２枚目の用紙を用紙排紙手段２７０の近傍で保持する時間として使用できる。
【００８２】
そして、先行する用紙束Ｐ１が中間スタッカ上から排出されたら直ちに空いた中間スタッカ上に排出することができるので生産性がよい。
【００８３】
図３は、上述した用紙サイズや紙種、および、１回の用紙排紙手段による排出用紙数に対するパドル手段の回転数制御の一形態を示す模式図である。なお、図において、用紙が基準サイズ（Ａ４サイズの用紙）以上である場合は「大」、基準サイズ未満である場合は「小」で示した。なお、丸印は、サイズに応じて設定した一例のパドル回転数において、搬送方向における用紙の整合が良好であったことを示し、星印は、更なるパドル回転数制御によって整合処理が良好であったことを示す。
【００８４】
図３で示されるように、中間スタッカ上に排出される用紙が１枚である場合、整合処理上での問題はなかった。
【００８５】
また、２枚の用紙が重ね合わせられた状態で中間スタッカ上に排出される場合、用紙が基準サイズ以上の場合は、コート紙、普通紙、薄紙および厚紙の紙種に関係なく良好な整合が得られた。
【００８６】
また、用紙が基準サイズ未満の範疇において、コート紙と厚紙についての整合は問題ないが、普通紙および薄紙の場合には、更なるパドル制御を施すことにより、良好な整合を得ることができた。
【００８７】
なお、パドル手段の回転数の低減は、駆動源であるモータを電流制御することで達成できる。
【００８８】
以上述べた実施の形態においては、パドル手段２７３の数を４個としたが、パドルの材質、用紙に作用する面積等、仕様に応じて適宜決定できるものである。
【００８９】
また、対象となる用紙のサイズや紙種に関係なく全てのパドル手段を用紙に作用させるように構成することもできるが、本実施の形態においては、小サイズの用紙には２個、大サイズの用紙には４個のパドル手段を使用するように構成した。
【００９０】
斯様に複数のパドル手段を分割して使い分けるような構成にすると、用紙サイズや紙種に応じて細かい対応ができ、２枚重ねの用紙排出においても、用紙搬送方向における整合が安定して得られることが確認されている。
【００９１】
また、複数のパドル手段を用紙の搬送方向において２列に構成し、分割使用する構成とすることもできる。
【００９２】
パドル手段の数によるが、例えば、小サイズの用紙のときに使用しないパドル手段が１個以上ある場合、少なくとも、その未使用分のパドル手段は作用位置から退避させて保持することが望ましい。
【００９３】
パドル手段を作用位置から退避位置に移動して保持するには、例えば、模式図である図４で示す構成で達成できる。
【００９４】
図４において、パドル手段２７３はブラケット８２に支持軸Ｊを介して可回転に保持される。支持軸Ｊの両端部は、ブラケット８２の外側に位置する固定壁８０に穿設された円弧状の孔Ｈを貫通して当該固定壁に保持される。
【００９５】
更に、ブラケット８２に設けられた孔（符号無し）を貫通して延びる軸Ｊ１は固定壁８０に位置固定で保持され、ブラケット８２は軸Ｊ１に対して回動可能である。
【００９６】
８５は引っ張りバネで、軸Ｊ１を支点として常時ブラケット８２を時計方向に付勢している。ＳＯＬはソレノイドで、通電制御によりオンされると、引っ張りバネ８５の付勢力に抗してブラケット８２を反時計方向に回動させるとともに、所定位置に保持する。
【００９７】
上記構成の動作を簡単に説明する。通常は引っ張りバネ８５の作用により支持軸Ｊは円弧状の孔Ｈの下部左端位置に保持されている。この状態において、パドル手段２７３は作用位置にある。
【００９８】
上記パドル手段を退避位置に移動させるべくソレノイドＳＯＬがオンされると、引っ張りバネ８５の付勢力に抗した力がブラケット８２に加えられ、支持軸Ｊは軸Ｊ１支点として円弧状の孔Ｈ内を反時計方向に回動され、例えば、孔Ｈの頂点位置に保持される。
【００９９】
この状態において、パドル手段２７３はその機能を発揮することができない退避位置にある。
【０１００】
前述のソレノイドＳＯＬへの通電がオフされると、引っ張りバネ８５の作用によりブラケット８２を引き下げる力が働き、結果、軸Ｊが軸Ｊ１を支点として回動され、円弧状の孔Ｈの下部左端位置に保持されることになる。
【符号の説明】
【０１０１】
１  画像形成装置本体
２  用紙後処理装置
２５  綴じ処理部
２５０  ステイプラ（綴じ手段）
２７  中間スタッカ
２７０  用紙排紙手段
２７１  第１ローラ
２７２  第２ローラ
２７３  パドル手段
２７５  ストッパ
２７７  整合部材
２８  搬送排出部
２８０  排出ベルト
Ｐ  用紙
Ｐ１  用紙束
【図１】
2010195523.tif 000003
【図２】
2010195523.tif 000004
【図３】
2010195523.tif 000005
【図４】
2010195523.tif 000006